(57)【要約】【課題】材料取りの効率の低下、組立作業の工程数の増加、部品点数の増加及び歩留りの低下等によるコストの高騰、骨格としての強度の低下、取付器具の大型化、並びに、照明器具の操作性の低下を生じることなく被支持物を支持するシャーシの支持部を補強する。【解決手段】シャーシ１を金属平板を素材として折り曲げ加工及び切り抜き加工を含むプレス加工によって成形する。シャーシ１の展開状態において、３つの側面１２〜１４を一方向に連結して配置し、プレス加工後に互いに対向する２側面１２，１４の各上辺から上方に向けて延出片１１ａ，１１ｂを延出させる。延出片１１ａ，１１ｂには、中央部に支持孔４ａ，４ｂを形成した。シャーシ１を折り曲げ線において直角に折り曲げると、延出片１１ａ及び１１ｂは上下に積層した状態で上面１１を構成し、この発明の支持部に相当する支持孔４ａ，４ｂが同心上に重なる。【選択図】図２
2005216670.tif 000002
【特許請求の範囲】
【請求項１】
金属平板の曲げ加工によって形成された複数の側面からなる筐体形状を呈し、内部に電気部品を収納するとともに、少なくとも１側面に被支持物が支持される支持部を備えた照明器具用シャーシにおいて、
前記複数の側面のうち前記支持部を備える側面は、他の２以上の側面の各一辺から延出した２以上の延出片を各側面から折り曲げた後に積層して構成したことを特徴とする照明器具用シャーシ。
【請求項２】
前記他の２以上の側面は折り曲げ線を挟んで前記２以上の延出片の延出方向に直交する方向に連続し、前記２以上の延出片のそれぞれは前記他の２以上の側面の各一辺から同一方向に延出することを特徴とする請求項１に記載の照明器具用シャーシ。
【請求項３】
前記支持部は前記支持部を備える側面を貫通する支持孔を含み、前記２以上の延出片のそれぞれに互いに異なる開口径の支持孔を形成したことを特徴とする請求項１に記載の照明器具用シャーシ。
【発明の詳細な説明】
【技術分野】
【０００１】
本発明は、照明器具の構造体であるシャーシに関し、特に、金属平板を折り曲げて複数の側面によって構成された筐体形状のシャーシであって、少なくとも一側面に被支持部品を支持する支持部を形成した照明器具用シャーシに関する。
【背景技術】
【０００２】
照明器具は、一般にランプの点灯状態を制御する制御用の回路を構成する電気部品を内部に収納している。また、例えば、図４に示すように、就寝時に枕元を照明するベッドライト等の照明器具１００では、電気部品を収納した本体１０１から延出する支持体１０２の先端部にランプ部１０３を配置したものがある（例えば、特許文献１参照。）。
【０００３】
さらに、壁面、ベッド又はテーブル等の一部に固定された取付器具において本体１０１を揺動自在に支持したものもある。このように、支持体１０２を介してランプ部１０３が接続されるとともに取付金具１０５を介して揺動自在に支持される本体１０１は、充分な強度を備えている必要がある。
【０００４】
このため、この種の照明器具１００では、電気部品を収納する金属製のシャーシを本体１０１に内蔵している。シャーシは、金属平板を折り曲げて複数の側面によって構成された筐体形状を呈し、本体１０１の骨格としての役割を担うとともに、一側面に設けられた支持部において支持体１０２の一端を支持する。この支持部には、支持体１０２及びランプ部１０３の質量が作用するため、他の部分に比較して高い強度を与える必要がある。
【０００５】
そこで、照明器具用のシャーシ１０４を図５（Ａ）又は（Ｂ）に示す展開状態で金属平板から切り出し、支持部１０４ａが形成される側面１１１の複数の辺に他の側面１１２〜１１４又は１１２，１１３を連続させることが考えられる。
【０００６】
また、図５（Ｃ）に示す展開状態で金属平板から切り出して各側面を折り曲げた後、側面１１１の開放した辺を他の側面において対向する辺に溶接すること、又は、側面１１１と同一の平面形状を呈する補強部材を側面１１１に重ねて取り付けること、さらに、素材となる金属平板の板厚を大きくすることも考えられる。
【特許文献１】特開２００２−３１３１０５号公報
【発明の開示】
【発明が解決しようとする課題】
【０００７】
しかしながら、図５（Ａ）に示すように、支持部１０４ａが形成される側面１１１の３辺に他の側面１１２〜１１４を連続させることとすると、材料取りの効率が悪く、素材となる金属平板におけるロスが大きくなるとともに、側面１１２〜１１４が互いに直接連結されないことから本体１０１の骨格としての強度が低下する問題がある。また、この点で、図５（Ｂ）に示すように、支持部１０４ａが形成される側面１１１の２辺に他の側面１１２，１１３を連続させることとすると、材料取りの効率は向上するが、側面１１２，１１３が連結されないことによる強度の低下の問題は解消されない。
【０００８】
また、図５（Ｃ）に示す展開状態で金属平板から切り出した後に側面１１１の２辺を他の２側面に溶接することとすると、組立作業の工程数が増加して製造コストの高騰を招くとともに、溶接作業時の加工誤差によって品質を一定に維持することが難しく歩留りが低下する。さらに、図５（Ｃ）に示す展開状態で金属平板から切り出した後に補強部材を側面５１に重ねて取り付けることとすると、組立作業の工程数が増加するだけでなく部品点数の増加を招き、製造コストがより高騰する。また、素材となる金属平板の板厚を大きくした場合には、材料コストが高騰するとともに、シャーシ１０４を内蔵する本体１０１の重量が増加し、取付器具の大型化や照明器具の操作性の低下を招く。
【０００９】
この発明の目的は、複数の側面を展開状態において一方向に連結して配置し、複数の側面のうち２以上の側面の一方の辺から連結方向に直交する方向に合計２以上の延出片を延出させ、２以上の延出片を積層して支持部を有する１つの側面を構成することにより、材料取りの効率の低下、組立作業の工程数の増加、部品点数の増加及び歩留りの低下等によるコストの高騰、骨格としての強度の低下、取付器具の大型化、並びに、照明器具の操作性の低下を生じることなく支持体等の被支持物を支持する支持部を補強することができる照明器具用シャーシを提供することにある。
【課題を解決するための手段】
【００１０】
この発明の照明器具用シャーシは、上記の課題を解決するための手段として、
金属平板の曲げ加工によって形成された複数の側面からなる筐体形状を呈し、内部に電気部品を収納するとともに、少なくとも１側面に被支持物が支持される支持部を備えた照明器具用シャーシにおいて、
前記複数の側面のうち前記支持部を備える側面は、他の２以上の側面の各一辺から延出した２以上の延出片を各側面から折り曲げた後に積層して構成したことを特徴とする。
【００１１】
この構成においては、支持部を備える側面が、他の２以上の側面の各一辺から延出した２以上の延出片を積層するように折り曲げて構成される。したがって、支持部を備える側面は、他の側面に比較して複数倍の板厚を有することになり、強度が高くなる。
【００１２】
また、前記他の２以上の側面は折り曲げ線を挟んで前記２以上の延出片の延出方向に直交する方向に連続し、前記２以上の延出片のそれぞれは前記他の２以上の側面の各一辺から同一方向に延出するものとすることができる。
【００１３】
この構成においては、支持部を備える側面以外の２以上の側面が一方向に順次連結して配置され、これら２以上の側面の各一辺から延出片が同一方向に延出する。したがって、支持部を備える側面以外の２以上の側面を互いに連結する辺において折り曲げた後に、これら２以上の側面において折り曲げた辺に直交する一方の辺において延出片を内側に折り曲げると２以上の延出片が積層した状態で支持部を備える側面が形成される。
【００１４】
さらに、前記支持部は前記支持部を備える側面を貫通する支持孔を含み、前記２以上の延出片のそれぞれに互いに異なる開口径の支持孔を形成することができる。
【００１５】
この構成においては、２以上の延出片を積層すると、各延出片に形成された互いに異なる開口径の支持孔によって支持部を備える側面が貫通する。したがって、折り曲げた際の各延出片の積層位置の誤差が開口径の差によって吸収され、被支持物を支持孔に貫通させるための開口径が確保される。
【発明の効果】
【００１６】
この発明の照明器具用シャーシによれば、支持部を備える側面を、他の２以上の側面の各一辺から延出した２以上の延出片を積層するように折り曲げて構成することにより、支持部を備える側面に、他の側面に比較して複数倍の板厚を与えることができ、素材となる金属平板の板厚を大きくしたり、溶接や他の部材を追加することなく、支持部を備える側面の強度を高することができる。このため、コストの高騰や重量の増加を招くことなく、支持部を備える側面を強することができる。
【００１７】
これによって、材料取りの効率の低下、組立作業の工程数の増加、部品点数の増加及び歩留りの低下等によるコストの高騰、骨格としての強度の低下、取付器具の大型化、並びに、照明器具の操作性の低下を生じることなく支持体等の被支持物を支持するシャーシの支持部を補強することができる。
【００１８】
また、支持部を備える側面以外の２以上の側面を一方向に順次連結して配置し、これら２以上の側面の各一辺から延出片を同一方向に延出させることにより、支持部を備える側面以外の２以上の側面を互いに連結する辺において折り曲げた後に、これら２以上の側面において折り曲げた辺に直交する一方の辺において延出片を内側に折り曲げるだけで２以上の延出片が積層した状態で支持部を備える側面を形成することができる。
【００１９】
さらに、２以上の延出片を積層した際に各延出片に形成された互いに異なる開口径の支持孔によって支持部を備える側面を貫通させることにより、折り曲げた際の各延出片の積層位置の誤差が開口径の差によって吸収することができ、被支持物を支持孔に貫通させるための開口径を確保できる。
【発明を実施するための最良の形態】
【００２０】
図１は、本発明の実施形態の一例であるシャーシが適用される照明器具の組み立て図である。照明器具１０は、照明光を照射するランプを収納するランプ部２０、ランプの点灯状態を制御するための回路を構成する電気部品を収納する本体３０、本体３０内の回路とランプ部２０内のランプとを接続する電源コードが貫通するフレキシブルパイプ４０を備えている。ランプ部２０は、中空截頭円錐形のセード２１内に、保持板２２及びリフレクタ２３を備えている。保持板２２は、一例としてＬＥＤユニット等のランプを保持する。可撓性を有する中空円筒形状の支持体であるフレキシブルパイプ４０は、一端部にセード２１の小径端が固定され、他端部が本体３０内に挿入される。ランプ体２０及びフレキシブルパイプ４０がこの発明の被支持物である。
【００２１】
本体３０は、一例として１対の半円筒形状の外装パネル３１，３２及び部分偏平球状のキャップ３３を備え、外装パネル３１，３２内にシャーシ１を内蔵する。シャーシ１は、正面側及び底面側が開放した中空筐体形状を呈し、電気部品が実装されて絶縁性シート３４に周囲を被覆された基板３５を内部に収納する。シャーシ１の正面側はカバー２よって被覆される。シャーシ１は、上面（この発明の支持部を備える側面に相当する。）１１において、本体３０内に挿入されたフレキシブルパイプ４０の端部を支持する。
【００２２】
シャーシ１における互いに対向する２側面１２，１４の各下端部は、２度直角に折り曲げられ、軸支孔３ａ，３ａを有する軸支部３，３にされている。軸支部３の軸支孔３ａには、図示しない支持ピンが貫通する。本体３０は、支持ピンを中心として垂直面内における所定範囲内で揺動自在にされているとともに、図示しない取付金具によって水平面内における所定範囲内で回動自在にされている。
【００２３】
図２は、上記シャーシの展開状態を示す図である。シャーシ１は、金属平板を素材として折り曲げ加工及び切り抜き加工を含むプレス加工によって成形される。図２（Ａ）に示すシャーシ１は、展開状態において、３つの側面１２〜１４を一方向に連結して配置し、プレス加工後に互いに対向する２側面１２，１４の各上辺から上方に向けて延出片１１ａ，１１ｂを延出させるとともに、側面１２，１４の各下端部に折り曲げ片１５，１５を介して軸支部３，３を延出させている。延出片１１ａ，１１ｂには、中央部に支持孔４ａ，４ｂが形成されている。軸支部３，３には、軸支孔３ａ，３ａが形成されている。
【００２４】
図２（Ａ）に示す展開状態で金属材料から切り出されたシャーシ１は、図中破線で示す折り曲げ線において直角に折り曲げられ成形される。このとき、延出片１１ａ及び１１ｂは上下に積層した状態で略中空四角柱形状の筐体における上面１１を構成し、この発明の支持部に相当する支持孔４ａ，４ｂが同心上に重なる。
【００２５】
図３は、上記シャーシにおけるフレキシブルパイプの支持状態を示す要部の正面断面図である。フレキシブルパイプ４０の端部には小径化されたネジ部４１が形成されており、このネジ部４１が支持孔４ａ，４ｂに上方から貫通する。ネジ部４１において延出片１１ａ及び１１ｂの下方に露出した部分に、ロックナット４２がワッシャ４３を介して螺合する。ロックナット４２を締め付けて、ロックナット４２とフレキシブルパイプ４０の段部４４との間にシャーシ１の上面１１を挟持することにより、フレキシブルパイプ４０の端部がシャーシ１の上面に支持される。
【００２６】
なお、図中４５は、シャーシ１に収納される基板３５上の回路とランプ部２０のランプとを電気的に接続する電源コードである。
【００２７】
シャーシ１の上面１１は、延出片１１ａ，１１ｂを積層して構成されているため、シャーシ１の他の側面１２〜１４に比較して２倍の厚さになる。このため、シャーシ１の上面１１に、ランプ部２０が取り付けられたフレキシブルパイプ４０を支持するために充分な強度を与えることができる。
【００２８】
シャーシ１の展開状態の形状を図２（Ａ）に示すように構成することにより、素材となる金属平板における材料ロスは図５（Ｃ）に示した従来例と殆ど変わることがなく、材料取りの効率が著しく低下することがない。
【００２９】
なお、シャーシ１の展開状態は図２（Ｂ）又は（Ｃ）に示す形状とすることもできる。特に、図２（Ｃ）に示す形状の展開状態では、上面１１が３枚の延出片４ａ〜４ｃを積層して構成されることになり、上面１１の強度をさらに高めることができる。シャーシ１を、図２（Ｂ）及び（Ｃ）に示す形状の展開状態とした場合にも、材料取りの効率が著しく低下することはない。
【００３０】
また、シャーシ１を図２（Ａ）〜（Ｃ）に示す形状の展開状態とした場合、３つの側面１２〜１４が互いに連結されているため、シャーシ１に本体１０における骨格としての機能を充分に発揮できる程度の強度を与えることができる。
【００３１】
さらに、延出片１１ａに形成される支持孔４ａと延出片１１ｂに形成される支持孔４ｂとの径に差を与えることにより、延出片１１ａ，１１ｂの折り曲げ時の位置ずれによる誤差を吸収して、フレキシブルパイプ４０のネジ部４１を確実に支持孔４ａ，４ｂに貫通させることができるようにしている。即ち、折り曲げられた状態で下側に位置する支持孔４ａの内径をフレキシブルパイプ４０のネジ部４１が貫通することを考慮した適正な大きさ及び形状とする一方、上側に位置する支持孔４ｂの内径を支持孔４ａの内径よりも大きくする。
【００３２】
加えて、素材となる金属平板を例えばＳＵＳ等のバネ性を有する材料とし、延出片１１ａ又は１１ｂの一方の開放端と他方との間に空間を設けておくことにより、ロックナット４２を締め付けた状態で延出片１１ａ又は１１ｂの少なくとも一方の弾性力によってロックナット４２の緩みの発生を防止することができる。
【図面の簡単な説明】
【００３３】
【図１】本発明の実施形態の一例であるシャーシが適用される照明器具の組立図である。
【図２】上記シャーシの展開状態の形状を示す図である。
【図３】上記シャーシにおけるフレキシブルパイプの支持状態を示す要部の正面断面図である。
【図４】本体及び支持体を含む照明器具を示す図である。
【図５】従来の照明器具に適用されるシャーシの展開状態の形状を示す図である。
【符号の説明】
【００３４】
１  シャーシ
４ａ，４ｂ  支持孔（支持部）
１０  照明器具
１１  上面（支持部を備える側面）
１２〜１４  側面（他の２以上のの側面）
２０  ランプ部
３０  本体
４０  フレキシブルパイプ（支持体）
【図１】
2005216670.tif 000003
【図２】
2005216670.tif 000004
【図３】
2005216670.tif 000005
【図４】
2005216670.tif 000006
【図５】
2005216670.tif 000007